(57)【要約】      （修正有）【課題】時計の巻き上げ及び時間情報の正確な表示を永久的に維持する、単純で安価でコンパクトな手段を提供する。【解決手段】巻上げ動作を駆動するモータ４、巻上げ位置にある腕時計の振動子の音響測定を行う手段１０、測定手段１０が送信した信号を分析し、パラメータ化できる目標値と比較して、振動子の動作振幅が、最小値より低い場合に、モータ４を始動させて、及び振動子の作動振幅が、最大値より高い場合に、モータ４を停止させて、モータ４の動作を規制する制御手段１００を有し、音響測定手段１０を、基部２００内で音響センサ手段２０の感知用開口部２１０の後方に固定する、腕時計巻上げ装置１であって、腕時計巻上げ装置１は、音響ダクトを含み、音響ダクトは、腕時計を収容するチャンバ２３０内に配置する受音ポート２２０を、感知用開口部２１０と対向するようにモータ４よって移動可能な伝送ポート２７０と連通状態に、設置する。【選択図】図１
2018105858.tif 000002
【特許請求の範囲】
【請求項１】
機械式腕時計用又は機械的動力源を有する電子腕時計用の腕時計巻取装置（１）であり、該装置は、少なくとも１つの動力源（３）を含み、該動力源（３）を、少なくとも１個のモータ（４）に動力を供給するように構成し、前記モータ（４）を、手巻腕時計の竜頭を回すように、又は自動巻自動腕時計の少なくとも１つの振動錘を駆動するように、又は少なくとも１個の自動巻自動腕時計を揺動するように構成する装置であり、該装置（１）は、制御手段（１００）を含み、該制御手段は、第１音響測定手段（１０）を含み、該第１音響測定手段（１０）は、巻上げ位置に置いた少なくとも１個の腕時計の振動子を音響測定するセンサ手段（２０）を組込み、前記制御手段（１００）を、前記第１音響測定手段（１０）が送信した信号を分析するように、及び前記信号を、パラメータ化できる目標値と比較して、前記振動子の動作振幅が、第１最小値以下である場合に、前記モータ（４）を始動させて、及び前記振動子の動作振幅が、第２最大値以上である場合に、前記モータ（４）を停止させて、少なくとも１個の前記モータ（４）の動作を規制するように構成する、装置であって、
前記第１音響測定手段（１０）を、基部（２００）内で入口オリフィス（２１０）の後方にある固定位置に配設すること、
前記装置（１）は、少なくとも１つの音響ダクトを含み、該音響ダクトは、腕時計を収容するチャンバ（２３０）内に配置する受音ポート（２２０）を、伝送ポート（２７０）と連通状態に、設置すること、及び
前記制御手段（１００）は、駆動手段（２４０）を制御し、該駆動手段（２４０）は、前記ハウジング（２３０）内に固定した腕時計の歩度を測定するようにプログラムした又はユーザが起動した動作中に、前記伝送ポート（２７０）を、前記感知用開口部（２１０）と対向する指標位置で、且つ前記感知用開口部（２１０）に近接した状態又は接触した状態で、位置決めし、不動にするために、前記伝送ポート（２７０）の空間における動き及び位置を決定することを特徴とする、装置。
【請求項２】
前記装置（１）は、前記指標位置に到達するように、前記制御手段（１００）と協働する光学手段（２５０）を含むことを特徴とする、請求項１に記載の装置（１）。
【請求項３】
前記装置は、前記測定中に前記装置付近の環境雑音を測定する第２音響測定手段（２６０）を含むこと、及び前記制御手段（１００）を、前記環境雑音を差引くことで、前記測定動作中に前記第１音響測定手段（１０）が出した音響測定値を修正するように構成することを特徴とする、請求項１に記載の装置（１）。
【請求項４】
前記装置（１）は、前記基部（２００）に対して可動な少なくとも１つの支持体（２）を含み、該少なくとも１つの支持体（２）を、機械式腕時計又は機械的動力源を有する電子腕時計を巻上げ位置で受容するように構成すること、
各前記支持体（２）は、１つの前記音響ダクトを含むこと、
前記伝送ポート（２７０）を、前記支持体（２）の周縁部に配置すること、
前記制御手段（１００）は、駆動手段（２４０）を制御し、該駆動手段（２４０）は、前記ハウジング（２３０）内に固定した腕時計の歩度を測定するようにプログラムした又はユーザが起動した動作中に、前記伝送ポート（２７０）を、前記感知用開口部（２１０）と対向する指標位置で、且つ前記感知用開口部（２１０）に近接した状態又は接触した状態で、位置決めし、不動にするために、前記支持体（２）の空間における動き及び位置を決定することを特徴とする、請求項１に記載の装置（１）。
【請求項５】
請求項４に記載の装置（１）、及び少なくとも１つの前記支持体（２）に固定するように構成した、機械式腕時計又は機械的動力源（２００）を有する電子腕時計のどちらかである、少なくとも１個の腕時計を含む、時計組立体（１０００）。
【請求項６】
機械的動力源を有する発電機を含む少なくとも１個の電子腕時計を巻上げるための、請求項１に記載の装置（１）の使用であって、前記制御手段（１００）は、動力の再蓄積に関する規則を制御するために、前記発電機によって生じる電界を測定するセンサ手段（２０）を組込む測定手段（１０）を含むことを特徴とする、使用。
【請求項７】
腕時計を準備する方法であって、以下のステップ：
−前記腕時計を、請求項１に記載の前記装置（１）にセットするステップ；
−前記腕時計の歩度が最も精確となる角度位置を決定するステップ；
−前記腕時計の歩度が最も安定する、前記腕時計が機械的動力源を有する場合には、巻上げ程度、又は前記腕時計が電気動力源を有する場合には、充電程度を、決定するステップ；
−前記腕時計を、前記角度位置と、前記腕時計の最適な歩度に対応する前記巻上げ程度又は前記充電程度のどちらかとの両方で、保持するステップ
を実行することを特徴とする方法。
【発明の詳細な説明】
【技術分野】
【０００１】
本発明は、機械式腕時計用又は機械的動力源を有する電子腕時計用の腕時計巻取装置であり、該装置は、少なくとも１つの動力源を含み、該動力源を、少なくとも１個のモータに動力を供給するように構成し、該モータを、手巻腕時計の竜頭を回すように、又は自動巻自動腕時計の少なくとも１つの振動錘を駆動するように、又は少なくとも１個の自動巻自動腕時計を揺動するように構成する装置であり、該装置は、制御手段を含み、該制御手段は、第１音響測定手段を含み、該第１音響測定手段は、巻上げ位置に置いた少なくとも１個の腕時計の振動子を音響測定するセンサ手段を組込み、上記制御手段を、上記第１音響測定手段が送信した信号を分析するように、及び該信号を、パラメータ化できる目標値と比較して、上記振動子の動作振幅が、第１最小値以下である場合に、上記モータを始動させて、及び上記振動子の動作振幅が、第２最大値以上である場合に、上記モータを停止させて、少なくとも１個の上記モータの動作を規制するように構成する、装置に関する。
【０００２】
また、本発明は、かかる装置、及び少なくとも１つの支持体に固定するように構成した、機械式腕時計又は機械的動力源を有する電子腕時計を含む時計組立体にも関する。
【０００３】
また、本発明は、腕時計を巻上げるかかる装置の使用にも関する。
【０００４】
また、本発明は、腕時計のための準備方法にも関する。
【０００５】
本発明は、時計学の分野に関し、特に、機械式腕時又は機械的動力源を有する電子腕時計、特に、限定するものではないが、自動腕時計の巻き上げに関する。
【背景技術】
【０００６】
永久に摩耗しない手巻若しくは自動巻機械式腕時計又は機械的動力源を有する電子腕時計のユーザは、腕時計を使用したいときに、表示更新タスクを実行せねばならず、これは日付については面倒であり、或いは、月相や、万年暦の閏年等複雑な点については難しい、又は不可能なことさえある。
【０００７】
巻上げに必要な衝撃を振動錘に与えるために、又は手巻腕時計の竜頭を、竜頭が許容する範囲で回すために、一般的に複数軸周りに腕時計を回転することによって、ユーザの動きをシミュレートする腕時計ワインダボックス又は個々の装置が知られている。そうしたワインダボックス又は装置は、嵩張り、高価なことが多く、移動する際にユーザにとって厄介となることもある。特に、かかるワインダは、正確な時間情報を表示し、クライアントに対して静止した状態で腕時計を展示する必要があり、いつでも実演する状態にしておく必要がある商業環境には適していない。
【０００８】
これらの巻上げ機構は、多少複雑であり、腕時計の機械システムに過度の応力をかける傾向がある。事実、巻上げ機構は、巻上げを行う巻回数のプログラミングを設けた場合にも、安全性を考慮して、必要以上に香箱を巻上げてしまい、その結果、過剰に主ぜんまいを巻上げるが、その過剰分は、ぜんまいがスリップすることによって消散されてしまう。結果的に、機械システム全体が、必要以上に高い応力を受ける。その結果起こる影響として、異常な摩耗、摩耗くずによる汚れが発生し、摩耗くずはまた、腕時計の潤滑も損ない、一層頻繁に掃除や、潤滑注油作業を必要とする可能性があり、そのためにユーザが払う費用は僅かではない。
【０００９】
その上、過剰な巻上げにより、不要な応力を、特に電池や太陽電池等を使用する巻上げシステムの場合、容量が限定されることもある動力源にかけてしまう。
【先行技術文献】
【特許文献】
【００１０】
【特許文献１】欧州特許出願第２６５０７３４号
【特許文献２】欧州特許出願第１５１７６９５７．７号
【発明の概要】
【発明が解決しようとする課題】
【００１１】
本発明は、ユーザに、機械式腕時計又は機械的動力源を有する電子腕時計を巻上げる、及び時間情報の正確な表示を永久的に維持する、単純で安価でコンパクトな手段を利用可能にすると共に、ムーブメントの機械部品を使用せず、動力を節約しながら、腕時計を着用していなくても、最大のパワーリザーブ能力を利用可能にすることを提案する。
【課題を解決するための手段】
【００１２】
このために、本発明は、請求項１に記載の腕時計巻上げ装置に関する。
【００１３】
また、本発明は、かかる装置、及び少なくとも１つの上記支持体に固定するように構成した、少なくとも１個の機械式腕時計又は機械的動力源を有する電子腕時計を含む時計組立体にも関する。
【００１４】
また、本発明は、腕時計を巻上げるためのかかる装置の使用にも関する。
【００１５】
また、本発明は、請求項７に記載の腕時計を準備するための方法にも関する。
【００１６】
本発明の他の特徴及び効果については、添付図を参照して、以下の詳細な説明を読むと明らかになるであろう。
【図面の簡単な説明】
【００１７】
【図１】本発明による、特に機械式腕時計又は機械的動力源を有する電子腕時計用の、腕時計巻上げ装置の略断面図を、支持体をモータに枢着し、推奨動作パラメータを組込んだチップを含む機械式腕時計又は機械的動力源を有する電子腕時計をいつでも受容できる状態にして、これを表している。
【図２】本発明による音響ダクトを含む支持体の上面図を概略的に表している。
【図３】本発明による音響ダクトを含む支持体の軸方向断面図を概略的に表している。
【発明を実施するための形態】
【００１８】
本発明は、腕時計ムーブメントの機械部品にかかる過度の応力を回避し、動力を節約するワインダを開発することを提案する。
【００１９】
「腕時計（ｗａｔｃｈ）」は、本明細書では、動力を、腕時計に加える動きによって、又は竜頭に作用して、再蓄積（ｒｅｃｈａｒｇｅ）できるあらゆる腕時計：機械式自動巻又は手巻腕時計、又は「Ａｕｔｏｑｕａｒｔｚ」又は「Ａｕｔｏｍｅｃａ」式等の、機械動力を使用した電子腕時計を意味する。本発明による装置は、完全に正確な程度に腕時計を巻上げる。
【００２０】
また、「巻上げる（ｗｉｎｄｉｎｇ）」は、かかる腕時計に動力を再蓄積することを意味する。
【００２１】
通常の機械式腕時計に関して、最適なのは、主ぜんまいの巻上げを、多くの場合テンプ／テンプ−ぜんまい組立体で形成する振動子の振幅を、２５０°付近のレベルに保つことである。この値は、機構の妥当な巻上げに、及び全姿勢での最も的確な腕時計の歩度に対応する。
【００２２】
本発明は、機械式腕時計又は機械的動力源を有する電子腕時計を巻上げるための簡単なサーボ手段であって、手巻腕時計を竜頭を用いた又は手巻用に設けた他の構成要素を用いた巻上げに、及び腕時計全体を揺動することによって、又は特に本出願人による欧州特許出願第２６５０７３４号（特許文献１）に記載した、振動錘と非接触で作用することによって達成できる、自動巻腕時計の巻上げに、適用可能なサーボ手段を実装する。
【００２３】
図面は、教授を目的としたものであり、１回転自由度で動きを付与して、自動巻する自動腕時計の事例についてのみ図説している。「モータ（ｍｏｔｏｒ）」は、これ以降、支持体を少なくとも１自由度で作動させるように構成した駆動手段を意味するが、該駆動手段は、一自由度に対して一駆動手段としてもよい、或いは複数の自由度に対して駆動手段の組合せとしてもよい。竜頭を用いて巻上げする事例については、当業者が本発明の教示を該事例に移行するのに、特に困難性がないため、図説しない。 
【００２４】
特に、本発明は、特に機械式腕時計又は機械的動力源を有する電子腕時計用の、腕時計巻上げ装置１に関する。
【００２５】
特定の変形例では、装置１は、該装置１に含まれる基部２００に対して可動な少なくとも１つの支持体２を含み、この支持体２を、機械式腕時計又は機械的動力源を有する電子腕時計を巻上げ位置で受容するように、構成する。
【００２６】
装置１は、少なくとも１個のモータ４に動力を供給するように構成する少なくとも１つの動力源３を含む。
【００２７】
このモータ４を、手巻腕時計の竜頭を回すように、又は自動巻自動腕時計の少なくとも１個の振動錘を駆動するように、又は少なくとも１個の自動巻自動腕時計を揺動するように構成する。
【００２８】
装置１は、制御手段１００を含み、該制御手段１００は、第１音響測定手段１０を含み、該第１音響測定手段１０は、巻上げ位置に置いた少なくとも１個の腕時計の振動子を音響測定するセンサ手段２０を組込む。これらの制御手段１００を、第１音響測定手段１０が送信した信号を分析するように、及び振動子の動作振幅が第１最小値以下になるとモータ４を始動させて、及び振動子の動作振幅が第２最大値以上になるとモータ４を停止させて、少なくとも１個のかかるモータ４の動作を規制するために、パラメータ化できる目標値と、該信号を比較するように、構成する。
【００２９】
本発明によると、これら第１音響測定手段１０を、これら音響センサ手段２０の入力部を形成する感知用開口部２１０の後方で、基部２００内の固定位置に配設する。
【００３０】
装置１は、少なくとも１つの音響ダクトを含み、該音響ダクトには、腕時計を収容するチャンバ２３０内に配置する受音用開口部２２０を、伝送ポート２７０と連通状態に、設置する。
【００３１】
特に、装置１が、腕時計を受容する少なくとも１つの支持体２を含む場合、かかる支持体２其々は、音響ダクトを含み、該音響ダクトには、支持体２の周縁部に配置する伝送ポート２７０と連通状態に、腕時計を収容するチャンバ２３０内に配置する受音用開口部２２０を設置する。    
【００３２】
制御手段１００は、駆動手段２４０を制御し、該駆動手段２４０は、ハウジング２３０内に固定した腕時計の歩度を測定するようにプログラムした又はユーザが起動した動作中に、伝送ポート２７０を、感知用開口部２１０と対向する指標位置で、且つ感知用開口部２１０に近接した状態又は接触した状態で、位置決めし、不動にするために、伝送ポート２７０の空間における動き及び位置を決定する。  
【００３３】
特に、装置１が、腕時計を受容する少なくとも１つの支持体２を含む場合、制御手段１００は、駆動手段２４０を制御し、該駆動手段２４０は、ハウジング２３０内に固定した腕時計の歩度を測定するようにプログラムした又はユーザが起動した動作中に、伝送ポート２７０を、感知用開口部２１０と対向する指標位置で、且つ感知用開口部２１０に近接した状態又は接触した状態で、位置決めし、不動にするために、支持体２の空間における動き及び位置を決定する。 
【００３４】
特に、装置１は、光学手段２５０を含み、該光学手段２５０は、指標位置に到達するように、制御手段１００と協働する。
【００３５】
特に、装置１は、測定中、装置付近の環境雑音を測定する第２音響測定手段２６０を含み、制御手段１００を、この環境雑音を差引くことで、測定動作中に第１音響測定手段１０が出した音響測定値を修正するように、構成する。
【００３６】
本発明は、如何なる種類の振動子にも、特に、機械式脱進機を有する振動子の場合、スイスレバー脱進機や同軸脱進機等にも使用できる点に留意されたい。交互（ａｌｔｅｒｎａｔｉｏｎ）の概念が異なる、デテント脱進機に関する、場合では、本発明の範囲から逸脱せずに、適当なパラメータ化を行わねばならない。
【００３７】
機械的動力を使用する電子腕時計の場合には、「Ａｕｔｏｑｕａｒｔｚ」式ムーブメントに対する最適な方法で、又は「Ａｕｔｏｍｅｃａ」式ムーブメントに関しては該ムーブメントの発電機の最適速度で、特有のパラメータ化を行い、蓄電池に充電を行うこともできる。  
【００３８】
「パラメータ化できる目標値」は、本明細書では、これらの値は、腕時計モデルによって異なり、場合によっては、巻上げ装置の設定時に事前に入力し、保存してもよい、或いは適当な読取装置によって腕時計で直接読取ってもよい。装置１に、これらのパラメータ化した値を変更可能な入力／出力部を有するユーザインタフェースを取付けると、これらのパラメータ化できる目標値を、ユーザによって、修正及び強制することもできる。
【００３９】
制御手段１００は、例えば、センサから、測定手段１０から、以下で詳述するユーザインタフェースから、動力源３（複数可）からの情報を処理する、及び適当なコマンドをモータ４又は数個存在する場合は、複数のモータ４に送る、マイクロプロセッサ等の計算手段を含む。
【００４０】
装置１を、単一の腕時計を巻上げる専用にしてもよい。
【００４１】
また、同時に数個の腕時計を巻上げるように意図してもよく、以下では、「複合ワインダ（ｍｕｌｔｉｐｌｅ  ｗｉｎｄｅｒ）」と呼ぶ。
【００４２】
このように、１個又は複数のモータ４を含む、かかる複合ワインダに関する特定の実施形態では、各モータ４を、１つ又は複数の支持体２から成る特定のグループを巻上げるものとし、其々に単一の腕時計を受容できる。各支持体２は、専用のセンサ手段２０を含む。制御手段１００を、特定のグループの様々な支持体２と関連付けたセンサ手段２０から受信する信号に応じて、各モータ４を制御するように構成する。
【００４３】
複合ワインダに関する特定の実施形態では、制御手段１００を、各モータ４を異なる方法で制御するように構成する。
【００４４】
複合ワインダに関する別の特定の実施形態では、制御手段１００を、上記特定のグループに割当てたモータ４を、該特定グループの支持体２が保持する腕時計の振動子の何れか１つの動作振幅が、第１最小値以下になると直ぐにモータ４を始動させて、制御するように構成する。
【００４５】
特定の変形例では、制御手段１００を、上記特定のグループに割当てたモータ４を、該特定グループの支持体２が保持する腕時計の全振動子の動作振幅が、第２最大値以上になると直ぐにモータ４を停止させて、制御するように構成する。
【００４６】
別の特定の変形例では、制御手段１００を、上記特定のグループに割当てたモータ４を、該特定グループの支持体２が保持する腕時計の振動子の何れか１つの動作振幅が、第２最大値以上になると直ぐにモータ４を停止させて、制御するように構成する。
【００４７】
他の制御アルゴリズムも、勿論、可能である。
【００４８】
モータ４を、複数の組合せた駆動手段から形成する場合、特に、動力源３の動力レベルが低いならば、これら駆動手段の中、１つだけ、又は一部だけを作動するように、制御アルゴリズムを構成できる。
【００４９】
全ての変形例では、制御手段１００は、有利には、ユーザインタフェースを含み、該ユーザインタフェースを、ユーザが、少なくとも１つの特定の支持体２に対する第１最小値及び／又は第２最大値を、上記支持体が受容した腕時計に応じて、選択及び／又は変更できるように、構成する。
【００５０】
ユーザインタフェースは、異なる入力部：  ネットワークへの接続部、又は計算若しくは電子装置への接続部、無線データ伝送用アンテナ、セレクタを、含むことができる。これらセレクタを、アナログ式又はスクリーン／キーボード等を用いたデジタル式としてもよい。このアナログバージョンでは、第１セレクタは、第１最小振幅値を決定し、第２セレクタは、第２最大値を決定する。
【００５１】
特定の方法では、このユーザインタフェースを、ユーザが、各上記支持体２に対する第１最小値及び／又は第２最大値を、選択及び／又は変更可能にするように構成する。
【００５２】
特に、このユーザインタフェースを、所定の腕時計タイプに対する第１最小値及び／又は第２最大値に関するデータを、特には、データリンクによって、又は無線通信によってだが、これらに限定しない方法で、収集するように構成する。
【００５３】
特定の変形例では、ユーザインタフェースは、読取手段を含み、該読取手段を、少なくとも１つの支持体２上に配設し、腕時計に、例えばＲＦＩＤチップ等該腕時計に含む通信インタフェースに保存した第１最小値及び／又は第２最大値のパラメータを、見つけて、読取るように構成する。特に、各支持体２は、かかる読取手段を備える。
【００５４】
次に、有利には、制御手段１００は、上記読取手段を含む所与の支持体２に対して、読取手段が読取った第１最小値及び第２最大値のパラメータを調整するように構成する。
【００５５】
有利な実施形態では、少なくとも１つの支持体２は、光学式又は静電容量式又はガルバニ式又はＲＦＩＤ誘導式といった、腕時計の有無を検出する手段を含み、該手段を、支持体２に全く腕時計がない場合に、ゼロ振幅信号の効果を消滅させるために、腕時計の有無に関する情報を、制御手段１００に通信するように構成する。特に、支持体２の全てを、そのように装備する。この検出により、関連する装備が、待機状態で設置可能になる。
【００５６】
通常タイプの腕時計に関しては、第１最小振幅値及び／又は第２最大振幅値の角度間隔を、有利には、２０°以下になるように選択する。
【００５７】
特に、第１最小振幅値は、２４０°であり、第２最大振幅値は、２６０°である。
【００５８】
商業的利用に関しては、制御手段１００は、有利には、計算手段に、腕時計を巻上げできる時間帯や、腕時計を不動状態に、特に指標位置で留まらねばならない時間帯を決定できるタイミング手段を含む。そのために、ユーザインタフェースは、有利には、ユーザがこれらの時間帯を決定し易くできるタイミング入力部を含む。その結果、計算手段は、腕時計又は複数の腕時計の所定の指標位置に対応する指標位置で、モータ又は複数のモータ４を不動にする。
【００５９】
また、本発明は、かかる装置１、及び少なくとも１つのかかる支持体２に固定するように構成した、所謂機械式腕時計又は機械的動力源を有する電子腕時計のどちらかである、少なくとも１個の腕時計を含む時計組立体にも関する。有利には、腕時計は、該腕時計に特有の第１最小値及び／又は第２最大値を通信するように構成した通信インタフェースを含む。
【００６０】
好適には、センサ手段２０は、マイクロホン式である。
【００６１】
明らかに、測定は、腕時計ムーブメントの種類によって異なる。巻上げ装置を、特定の腕時計と対にして、工場で予め設定できる。
【００６２】
上述したユーザ調整により、ユーザは、振幅閾値を設定するために、装置にあるセレクタが提案した標準的な構成の１つを、装置上で、選択可能である。また、ユーザは、携帯アプリケーションも使用でき、該アプリケーションにより、ユーザは、腕時計製品を選択し、無線又はコンピュータ又は他の通信手段によって対応する構成を送信できる。
【００６３】
また、ユーザは、腕時計、又は保証書、又は腕時計のブランド、又は適切なコードを含む腕時計の特定領域を、例えば携帯電話や他の同様な携帯機器を使用して直接撮影し、携帯アプリケーションを介してユーザのワインダに適したパラメータを得ることもできる。
【００６４】
腕時計自体は、腕時計のパラメータを有するチップを含んでもよい、又は腕時計のパッケージは、適切なリーダで読取可能な図形文字コード又はチップも含んでもよい。
【００６５】
また、本発明は、機械的動力源を有する発電機を含む少なくとも１個の電子腕時計を巻上げるためのかかる装置１の使用にも関する；かかる場合では、その制御手段１００は、測定手段１０を含み、該測定手段には、動力の再蓄積に関する規則を制御するために、この発電機によって生じる電界を測定するように適合したセンサ手段２０を組込む。
【００６６】
本発明は、更に、腕時計を準備する方法であって、以下のステップ：
−腕時計を、装置１にセットするステップ；
−腕時計の歩度が最も精確となる角度位置、即ち歩度誤差が最小となる位置を、決定するステップ；
−腕時計の歩度が最も安定する、腕時計が機械的動力源を有する場合には、巻上げ程度、又は腕時計が電気動力源を有する場合には、充電程度を、決定するステップ；
−腕時計を、角度位置と、腕時計の最適な歩度に対応する上記巻上げ程度又は上記充電程度のどちらかとの両方で、保持するステップ
を実行することを特徴とする方法に関する。
【００６７】
特に、一方で、角度位置のパラメータを、他方で、腕時計の最適な歩度に対応する上記巻上げ程度又は上記充電程度を、保存する。これらのパラメータを、状況に応じて、腕時計自体に含む保存手段に保存してもよい、又は腕時計メーカが承認した販売業者に独占的に利用可能にさせるために、他のパラメータと共に保存した、個々の腕時計ブランドに関連付けてもよい。
【００６８】
特に、腕時計は、腕時計が機械共振器を有する場合、共振器ホイールセットの慣性を調整する手段を備える。
【００６９】
特に、本出願人による欧州特許出願第１５１７６９５７．７号（特許文献２）に記載された、振動子の動作を微調整する方法、又は同様なシステムを使用することは、有利である。
【００７０】
特に、上記共振器ホイールセットがテンプである場合、上記の慣性調整を、レーザによって実行する。
【００７１】
特に、腕時計がかかるステムを含む場合、時間設定制御ステムを使用して修正することによって、上記の慣性調整を行う。
【００７２】
要するに、腕時計の振幅及び載置位置を調整することによって、歩度誤差を最小化でき、その結果、巻上げ装置上に存在しながら、常に精確な腕時計、特に機械式腕時計を得られる。歩度測定を、特に、振幅測定に使用したのと同じセンサで、実行する。
【符号の説明】
【００７３】
１        腕時計巻上げ装置
２        支持体
３        動力源
４        モータ
１０      第１音響測定手段
２０      センサ手段
１００    制御手段
２００    基部
２１０    感知用開口部
２２０    受音用開口部
２３０    チャンバ
２４０    駆動手段
２５０    光学手段
２６０    第２音響測定手段
２７０    伝送ポート
【図１】
2018105858.tif 000003
【図２】
2018105858.tif 000004
【図３】
2018105858.tif 000005
【外国語明細書】
2018105858000001.pdf